(57)【要約】【課題】低遅延の要求と通信可能性の要求とを適切に満たすこと。【解決手段】端末装置は、基地局装置へのスケジューリング要求の送信に利用可能なそれぞれ異なる周波数幅と時間幅と周期の組み合わせに対応する複数の設定から、スケジューリング要求の送信に用いる１つの設定を選択し、基地局装置に対して送信すべきデータが発生した場合に、選択された１つの設定を用いて、基地局装置へ前記スケジューリング要求を送信する。【選択図】図６
2018182361.tif 000002
【特許請求の範囲】
【請求項１】
基地局装置へのスケジューリング要求の送信に利用可能なそれぞれ異なる周波数幅と時間幅と周期の組み合わせに対応する複数の設定から、前記スケジューリング要求の送信に用いる１つの設定を選択する選択手段と、
前記基地局装置に対して送信すべきデータが発生した場合に、選択された前記１つの設定を用いて、前記基地局装置へ前記スケジューリング要求を送信する送信手段と、
を有することを特徴とする端末装置。
【請求項２】
前記選択手段は、前記複数の設定のうち第１の設定を用いて送信した前記スケジューリング要求に応じた上りリンクグラントを前記基地局装置から受信しなかった場合は、前記複数の設定のうち前記第１の設定と異なる第２の設定を選択し、前記送信手段は、前記第２の設定を用いて前記基地局装置へ前記スケジューリング要求を送信する、
ことを特徴とする請求項１に記載の端末装置。
【請求項３】
前記選択手段は、前記第１の設定を用いて所定回数または所定期間、前記スケジューリング要求を送信した場合に前記上りリンクグラントを前記基地局装置から受信しなかった場合に、前記第２の設定を選択する、
ことを特徴とする請求項２に記載の端末装置。
【請求項４】
前記第１の設定に対応する時間幅は前記第２の設定に対応する時間幅より短く、前記第１の設定に対応する周波数幅は前記第２の設定に対応する周波数幅より広い、
ことを特徴とする請求項２または３に記載の端末装置。
【請求項５】
前記選択手段は、前記基地局装置と前記端末装置との間の伝送路損失に基づいて、前記複数の設定から前記１つの設定を選択する、
ことを特徴とする請求項１から４のいずれか１項に記載の端末装置。
【請求項６】
前記基地局装置から前記スケジューリング要求に利用可能な設定に関する情報を取得する取得手段をさらに有する、
ことを特徴とする請求項１から５のいずれか１項に記載の端末装置。
【請求項７】
前記取得手段は、前記基地局装置と前記端末装置との間の接続の確立のために前記基地局装置から送信されたＲＲＣメッセージにより前記情報を取得する、
ことを特徴とする請求項６に記載の端末装置。
【請求項８】
端末装置がスケジューリング要求の送信に利用すべき、それぞれ異なる周波数幅と時間幅と周期の組み合わせに対応する１つ以上の設定を決定する決定手段と、
前記１つ以上の設定に関する情報を前記端末装置に通知する通知手段と、
を有することを特徴とする基地局装置。
【請求項９】
前記決定手段は、前記端末装置が確立する無線ベアラの要求遅延に応じて前記１つ以上の設定を決定する、
ことを特徴とする請求項８に記載の基地局装置。
【請求項１０】
前記決定手段は、前記基地局装置と前記端末装置との間の伝送路損失に基づいて前記１つ以上の設定を決定する、
ことを特徴とする請求項８又は９に記載の基地局装置。
【請求項１１】
前記通知手段は、前記基地局装置と前記端末装置との間の接続の確立のためのＲＲＣメッセージにより、前記情報を前記端末装置に通知する、
ことを特徴とする請求項８から１０のいずれか１項に記載の基地局装置。
【請求項１２】
端末装置の制御方法であって、
選択手段が、基地局装置へのスケジューリング要求の送信に利用可能なそれぞれ異なる周波数幅と時間幅と周期の組み合わせに対応する複数の設定から、前記スケジューリング要求の送信に用いる１つの設定を選択する選択工程と、
送信手段が、前記基地局装置に対して送信すべきデータが発生した場合に、選択された前記１つの設定を用いて、前記基地局装置へ前記スケジューリング要求を送信する送信工程と、
を有することを特徴とする制御方法。
【請求項１３】
基地局装置の制御方法であって、
決定手段が、端末装置がスケジューリング要求の送信に利用すべき、それぞれ異なる周波数幅と時間幅と周期の組み合わせに対応する１つ以上の設定を決定する決定工程と、
通知手段が、前記１つ以上の設定に関する情報を前記端末装置に通知する通知工程と、
を有することを特徴とする制御方法。
【請求項１４】
端末装置に備えられたコンピュータに、
基地局装置へのスケジューリング要求の送信に利用可能なそれぞれ異なる周波数幅と時間幅と周期の組み合わせに対応する複数の設定から、前記スケジューリング要求の送信に用いる１つの設定を選択させ、
前記基地局装置に対して送信すべきデータが発生した場合に、選択された前記１つの設定を用いて、前記基地局装置へ前記スケジューリング要求を送信させる、
ためのプログラム。
【請求項１５】
基地局装置に備えられたコンピュータに、
端末装置がスケジューリング要求の送信に利用すべき、それぞれ異なる周波数幅と時間幅と周期の組み合わせに対応する１つ以上の設定を決定させ、
前記１つ以上の設定に関する情報を前記端末装置に通知させる、
ためのプログラム。
【発明の詳細な説明】
【技術分野】
【０００１】
本発明は、端末装置による信号の送信制御技術に関する。
【背景技術】
【０００２】
一般的なセルラ無線通信システムでは、端末装置は、上りリンクの信号を送信する際に、基地局装置に対してスケジューリング要求を送信し、基地局装置から上りリンクグラントを受信し、その上りリンクグラントに従って上りリンクの無線信号を送信する。ロングタームエボリューション（ＬＴＥ）では、例えば、使用可能な無線リソースのうち最も高い周波数の１タイムスロット分（０．５ミリ秒）と、最も低い周波数の別の１タイムスロット分とが、スケジューリング要求の送信に用いられる。なお、例えば１０ミリ秒又は２０ミリ秒ごとに、上述の２つの周波数における各１つ（計２つ）の無線リソースが、スケジューリング要求の送信用の無線リソースとして割り当てられうる。
【先行技術文献】
【非特許文献】
【０００３】
【非特許文献１】３ＧＰＰ  ＴＳ３６．３００、ｖ１４．１．０、２０１６年１２月
【発明の概要】
【発明が解決しようとする課題】
【０００４】
第５世代のセルラ無線通信システムでは、非常に高い信頼性と非常に小さい遅延を要求する通信（Ultra Reliable Low Latency Communication、ＵＲＬＬＣ）を実現するための技術検討がなされている。このようなシステムでは、従来のような１０ミリ秒又は２０ミリ秒のうちの０．５ミリ秒のタイムスロット２つ分だけしかスケジューリング要求を送信できないこと及びスケジューリング要求の送信に少なくとも０．５ミリ秒要することにより、遅延の要求を満たすことができないことが想定される。このため、ＵＲＬＬＣを実現する場合、短周期で時間幅の短い無線リソースを用いてスケジューリング要求を送信することが想定される。しかしながら、このような時間幅の短い無線リソースが用いられる場合、基地局装置から離れた位置に滞在する端末装置が、他の信号に干渉を及ぼさない範囲で、かつ、基地局装置に十分な電力で届くスケジューリング要求を送信できない場合がありうる。すなわち、端末装置が有効な（基地局装置に届く）スケジューリング要求を送信できる地理的範囲が限定され、端末装置の通信可能性が制限されてしまいうる。
【０００５】
本発明は、上記課題に鑑みなされたものであり、低遅延の要求と通信可能性の要求とを適切に満たすための技術を提供することを目的とする。
【課題を解決するための手段】
【０００６】
本発明の一態様による端末装置は、基地局装置へのスケジューリング要求の送信に利用可能なそれぞれ異なる周波数幅と時間幅との組み合わせに対応する複数の設定から、前記スケジューリング要求の送信に用いる１つの設定を選択する選択手段と、前記基地局装置に対して送信すべきデータが発生した場合に、選択された前記１つの設定を用いて、前記基地局装置へ前記スケジューリング要求を送信する送信手段と、を有する。
【０００７】
また、本発明の一態様による基地局装置は、端末装置がスケジューリング要求の送信に利用すべき、それぞれ異なる周波数幅と時間幅との組み合わせに対応する１つ以上の設定を決定する決定手段と、前記１つ以上の設定に関する情報を前記端末装置に通知する通知手段と、を有する。
【発明の効果】
【０００８】
本発明によれば、低遅延の要求と通信可能性の要求とを適切に満たすことができる。
【図面の簡単な説明】
【０００９】
【図１】無線通信システムの構成例を示す図。
【図２】スケジューリング要求に利用可能な無線リソースの設定の例を示す図。
【図３】端末装置及び基地局装置のハードウェア構成例を示す図。
【図４】端末装置の機能構成例を示すブロック図。
【図５】基地局装置の機能構成例を示すブロック図。
【図６】基地局装置及び端末装置が実行する処理の流れの例を示す図。
【発明を実施するための形態】
【００１０】
以下、本発明の実施の形態について図面を参照しながら説明する。
【００１１】
（システム構成）
図１に、本実施形態に係る無線通信システムの構成を示す。本無線通信システムは、例えば第５世代の無線通信技術で通信可能な端末装置と基地局装置とを含んで構成される。なお、端末装置と基地局装置は、例えばロングタームエボリューション（ＬＴＥ）などの第４世代以前の無線通信技術を使用可能であってもよく、また、セルラ通信技術以外の無線通信技術を使用可能であってもよい。図１では、簡単のため、端末装置と基地局装置とがそれぞれ１つである場合の例を示しているが、一般的には多数の端末装置と基地局装置が存在し、以下に説明するような処理を実行しうる。
【００１２】
本実施形態では、端末装置が、基地局装置に対して無線信号（無線パケット）を送信する際の通信制御について説明する。端末装置は、送信すべきデータ（ユーザデータ）が発生したことに応じて、基地局装置に対して、スケジューリング要求を送信し、基地局装置からそのスケジューリング要求に応答する上りリンクグラントを受信する。そして、端末装置は、その上りリンクグラントにおいて指定された無線リソースを用いて、基地局装置にそのデータを実質的に含んだ無線信号を送信する。ここで、「実質的に含む」とは、そのデータを表すシンボル列／ビット列そのものが含まれることのみならず、このデータに対して誤り訂正符号化等の加工を施したデータの一部または全部が含まれること等を指す。
【００１３】
本実施形態では、端末装置は、スケジューリング要求の基地局装置への送信に利用可能な、それぞれ異なる周波数幅と時間幅と周期の組み合わせからなる無線リソースに対応する複数の設定を保持する。このときの複数の設定の例を図２に示す。図２は、第１の設定２０１、第２の設定２０２、及び第３の設定２０３を示している。第３の設定２０３は、例えば、例えば２０又は４０タイムスロット周期の、使用可能な周波数リソースの上端及び下端におけるそれぞれ１タイムスロット分だけ配置される無線リソースに対応する。なお、第３の設定２０３は、例えば、ロングタームエボリューション（ＬＴＥ）におけるスケジューリング要求の送信用の無線リソースでありうる。また、第２の設定２０２は、例えば１タイムスロット中に３回の周期の、第３の設定２０３の時間幅（１タイムスロット）より十分小さい時間幅と第３の設定２０３と比して十分大きい周波数幅とを有する無線リソースに対応する。さらに、第１の設定２０１は、例えば１タイムスロット中に２回の周期の、第２の設定２０２の時間幅より小さい時間幅と第２の設定２０２と比して大きい周波数幅とを有する無線リソースに対応する。端末装置は、例えば、これらの設定のうちの２つ以上を保持する。なお、端末装置は、複数の設定のそれぞれについて、基準時刻からの時間オフセット値を保持する。これは、各設定における無線リソースの絶対的な位置を特定可能とするためのものである。また、端末装置は、複数の設定のそれぞれについて、符号の情報（符号系列の番号や、同系列におけるサイクリックシフト量）を保持しうる。これによれば、端末装置は、各設定における無線リソースが、他の端末装置と符号多重される場合に、使用する符号を特定することができる。
【００１４】
なお、基地局装置は、例えば、端末装置がスケジューリング要求に使用すべき１つ以上の設定の情報を、端末装置に通知することができる。基地局装置は、例えば、端末装置が確立する無線ベアラの要求遅延に応じて、又は、基地局装置と端末装置との間の伝送路損失に基づいて、１つ以上の設定を決定しうる。すなわち、基地局装置は、例えば、要求遅延が短い無線ベアラを確立する場合には、時間幅が短く、かつ、短周期の設定を、端末装置がスケジューリング要求に使用すべきとして決定しうる。また、基地局装置は、例えば、基地局装置と端末装置との間の伝送路損失が小さいほど時間幅が短い設定を、伝送路損失が大きいほど時間幅が長い設定を、それぞれ端末装置がスケジューリング要求に使用すべきとして決定しうる。また、基地局装置は、例えば、要求遅延が所定値より小さい場合には要求遅延に従って設定を決定し、要求遅延が長い無線ベアラを確立する場合には、例えば、伝送路損失に基づいて設定を決定するなど、これらの基準を組み合わせてもよい。また、これら以外の基準によって、端末装置が使用すべき設定が決定されてもよい。端末装置は、この設定の情報を基地局装置から取得すると、利用可能な設定の１つとして保持しうる。なお、端末装置は、基地局装置から通知された１つ以上の設定により、その時点で保持していた複数の設定を置き換えてもよいし、保持している複数の設定を更新してもよい。例えば、端末装置は、その時点で保持している複数の設定に追加して、基地局装置から取得した設定をその取得時刻と共に記憶し、保持している複数の設定のうち、取得してからの期間が所定期間に達したものを削除するようにしてもよい。なお、基地局装置から端末装置への設定に関する情報の通知は、例えば、端末装置からのランダムアクセス手順における、前記基地局装置と前記端末装置との間の接続の確立のために基地局装置から送信されるＲＲＣメッセージを用いて行われうる。なお、端末装置は、基地局装置に対して、その時点で保持している複数の設定の情報を送信しうる。端末装置は、この情報の送信を、例えばランダムアクセスプリアンブルの送信時に、ランダムアクセスプリアンブルに含めて又はランダムアクセスプリアンブルと並行して送信される別の信号によって、行いうる。
【００１５】
端末装置は、送信すべきデータが発生した際に、スケジューリング要求を送信するのに用いる１つの設定を、保持している複数の設定から選択して、その選択した１つの設定に対応する無線リソースを用いてスケジューリング要求を基地局装置へ送信する。このとき、端末装置は、例えば複数の設定のうち第１の設定２０１を用いて送信したスケジューリング要求に対して上りリンクグラントを受信しなかった場合は、第２の設定２０２を選択して、その第２の設定２０２を用いてスケジューリング要求を送信しうる。すなわち、端末装置は、まず短い時間幅（及び広い周波数幅）でスケジューリング要求を送信することによって、これに対応する上りリンクグラントを受信することができれば、低遅延での通信を行うことが可能となる。その一方で、端末装置は、短い時間幅でのスケジューリング要求に対しては上りリンクグラントを受信できなかった場合、時間幅が比較的大きい別の設定を用いてスケジューリング要求を送信しうる。これにより、スケジューリング要求の送信電力を時間方向で増やすことができるため、基地局装置がこのスケジューリング要求の受信に成功する確率を高めることができる。端末装置は、第２の設定２０２を用いて送信したスケジューリング要求に対して上りリンクグラントを受信しなかった場合は、続いて第３の設定２０３を選択して、その第３の設定２０３を用いてスケジューリング要求を送信しうる。なお、端末装置は、例えば、第３の設定２０３を用いる場合であっても、次回の第３の設定２０３に対応する無線リソースに対応するタイミングが到来するまでは、第１の設定２０１又は第２の設定２０２を用いてスケジューリング要求を送信してもよい。なお、上述の例は、時間幅の短い設定から順に用いられる場合の例について説明したが、この順序についてはこれに限られない。すなわち、第２の設定２０２が用いられた後に第１の設定２０１が用いられるなど、任意の順序が用いられてもよい。また、端末装置は、使用中の設定において所定回数だけ又は所定期間に渡ってスケジューリング要求を送信したにもかかわらず、上りリンクグラントを受信しなかった場合に、別の設定を用いるようにしてもよい。さらに、端末装置は、スケジューリング要求の送信又は再送の都度、使用すべき設定を選択してもよい。これらにより、端末装置は、基地局装置に対して確実にスケジューリング要求を送信することができる。
【００１６】
また、端末装置は、基地局装置と端末装置との間の伝送路の伝送路損失に基づいて、使用する設定を選択してもよい。端末装置は、例えば、基地局装置から受信した信号に基づいて下りリンクの伝送路損失を推定し、その推定値に基づいて使用する設定を選択しうる。端末装置は、例えば、伝送路損失が大きいほど、すなわち伝搬環境が良好でないほど、時間幅の大きい設定を選択し、伝送路損失が小さいほど時間幅の短い設定を選択するようにしうる。これにより、端末装置は、伝搬環境に応じて、基地局装置に十分な電力で届き、かつ可能な限り小さい遅延で、スケジューリング要求を基地局装置へ送信することができる。
【００１７】
以下では、このような処理を実行する端末装置及び基地局装置の構成及び実行される処理の流れについて説明する。
【００１８】
（装置構成）
図３に、端末装置及び基地局装置のハードウェア構成例を示す。端末装置及び基地局装置は、一例において、図３に示すようなハードウェア構成を有し、例えば、ＣＰＵ３０１、ＲＯＭ３０２、ＲＡＭ３０３、外部記憶装置３０４、及び通信装置３０５を有する。端末装置及び基地局装置では、例えばＲＯＭ３０２、ＲＡＭ３０３及び外部記憶装置３０４のいずれかに記録された、端末装置又は基地局装置の各機能を実現するプログラムがＣＰＵ３０１により実行される。なお、ＣＰＵ３０１は、ＡＳＩＣ（特定用途向け集積回路）、ＦＰＧＡ（フィールドプログラマブルゲートアレイ）、ＤＳＰ（デジタルシグナルプロセッサ）等の１つ以上のプロセッサによって置き換えられてもよい。
【００１９】
そして、端末装置及び基地局装置は、例えばＣＰＵ３０１により通信装置３０５を制御して、基地局装置と端末装置との間の通信を行う。なお、図３では、端末装置及び基地局装置は、１つの通信装置３０５を有するような概略図を示しているが、これに限られない。例えば、端末装置は、２つ以上の基地局装置と通信するために２つ以上の通信装置３０５を有してもよいし、さらに、他のシステムでの通信のための別の通信装置３０５を有してもよい。また、基地局装置は、他の基地局装置と通信するために２つ以上の通信装置３０５を有してもよい。
【００２０】
なお、端末装置及び基地局装置は、各機能を実行する専用のハードウェアを備えてもよいし、一部をハードウェアで実行し、プログラムを動作させるコンピュータでその他の部分を実行してもよい。また、全機能がコンピュータとプログラムにより実行されてもよい。
【００２１】
図４は、端末装置の機能構成例を示す図である。端末装置は、例えば、通信部４０１、設定保持部４０２、及び設定選択部４０３を含んで構成され、場合によっては、伝送路推定部４０４をさらに含む。
【００２２】
通信部４０１は、１つ以上の基地局装置と通信可能であり、基地局装置に対してスケジューリング要求を送信して上りリンクグラントを受信し、その上りリンクグラントで指定された無線リソースを用いて上りリンクの無線信号を送信することができる。なお、通信部４０１は、基地局装置からの下りリンクの無線信号を受信することもできる。
【００２３】
設定保持部４０２は、通信部４０１によってスケジューリング要求を送信する際に利用可能な複数の設定を保持する。設定保持部４０２は、例えば、通信部４０１を介して設定の情報を取得して保持する。なお、上述のように、複数の設定は、それぞれ、時間幅、周波数幅、及び周期の組み合わせから特定される無線リソースに対応し、さらに、絶対的なタイミングを特定するための基準時刻からの時間オフセット値をも含みうる。また、複数の設定は、それぞれの設定に応じた無線リソースにおいて複数の端末装置からの信号が符号多重される場合に使用される符号の情報（符号系列の番号や、同系列におけるサイクリックシフト量）を含んでもよい。
【００２４】
設定選択部４０３は、端末装置が基地局装置にスケジューリング要求を送信する際に、設定保持部４０２が保持している複数の設定の中から、用いるべき設定を選択する。設定選択部４０３は、例えば、時間幅が短い設定から優先的に使用するように、すなわち図２の例では第１の設定２０１、第２の設定２０２、第３の設定２０３の順で、選択を行いうる。設定選択部４０３は、選択した設定によってスケジューリング要求を送信したにも関わらず、通信部４０１が上りリンクグラントを受信しなかった場合には、より時間幅が長い設定を選択しうる。なお、設定選択部４０３は、一度選択した設定を用いて、所定回数だけ又は所定期間に渡ってスケジューリング要求を送信した場合に、上りリンクグラントが受信されなかったことに応じて、使用すべき設定を変更してもよい。なお、設定選択部４０３は、スケジューリング要求の送信が完了するまでの時刻が早い設定を、使用すべき設定として選択してもよい。例えば、第２の設定２０２を用いた場合に、第１の設定２０１を用いる場合より早くスケジューリング要求の送信が完了する場合、設定選択部４０３は、使用すべき設定として、第２の設定２０２を選択してもよい。また、設定選択部４０３は、伝送路推定部４０４が推定した、基地局装置と端末装置との間の伝送路損失に基づいて、使用すべき設定を決定してもよい。例えば、設定選択部４０３は、伝送路損失が大きい場合には時間幅の大きい設定を選択し、伝送路損失が小さい場合には時間幅の小さい設定を選択しうる。
【００２５】
伝送路推定部４０４は、例えば、通信部４０１を介して受信した基地局装置からの下りリンクの無線信号に基づいて伝送路損失を推定する。なお、伝送路推定部４０４は、基地局装置における端末装置からの上りリンクの信号に基づく伝送路損失の推定値の情報を、通信部４０１を通じて基地局装置から取得してもよい。
【００２６】
図５は、基地局装置の機能構成例を示す図である。基地局装置は、例えば、通信部５０１及び設定決定部５０２を含んで構成され、場合によっては、損失情報取得部５０３をさらに含む。
【００２７】
通信部５０１は、１つ以上の端末装置と通信可能であり、端末装置からスケジューリング要求を受信した場合に、使用可能な無線リソースを特定して上りリンクグラントを発行する。そして、通信部５０１は、その特定した無線リソースにおいて端末装置からの上りリンクの無線信号を受信することができる。なお、通信部５０１は、端末装置への下りリンクの無線信号を送信することもできる。
【００２８】
設定決定部５０２は、端末装置においてスケジューリング要求を送信するのに利用すべき無線リソースに関する１つ以上の設定を決定する。設定決定部５０２は、例えば、端末装置が確立する無線ベアラの要求遅延に応じて、１つ以上の設定を決定しうる。また、設定決定部５０２は、例えば損失情報取得部５０３が取得した基地局装置と端末装置との間の伝送路損失に基づいて、１つ以上の設定を決定しうる。
【００２９】
損失情報取得部５０３は、例えば、通信部５０１を介して端末装置から基地局装置への上りリンクを観測することによって、上りリンクの伝送路における伝送路損失を推定することによって、基地局装置と端末装置との間の伝送路損失を推定しうる。また、損失情報取得部５０３は、端末装置における測定に基づく下りリンクの伝送路損失の推定値を、通信部５０１を介して取得してもよい。なお、この下りリンクの伝送路損失の推定値の情報は、例えば、既存のMeasurement Reportの仕組みを用いて、端末装置から基地局装置へ通知されうる。すなわち、設定決定部５０２は、基地局装置と端末装置との間の、上りリンクと下りリンクとの少なくともいずれかにおける伝送路損失に基づいて、１つ以上の設定を決定しうる。
【００３０】
（処理の流れ）
続いて、図６を用いて、本実施形態に係る基地局装置及び端末装置が実行する処理の流れの例について説明する。なお、図６の例は一例であり、以下で説明する処理の１つ以上（例えばＳ６０１〜Ｓ６０３）が省略されてもよいし、追加の処理が加えられてもよい。
【００３１】
まず、端末装置と基地局装置との間で、端末装置がスケジューリング要求の送信に使用すべき無線リソースの設定に関する初期設定を行う。例えば、端末装置は、自装置が確立する無線ベアラにおける要求遅延の情報や、基地局装置から端末装置までの伝送路に関する伝送路損失の情報を、基地局装置へと通知する（Ｓ６０１）。そして、基地局装置は、通知された情報に基づいて、端末装置が利用すべき無線リソースについての１つ以上の設定を決定し（Ｓ６０２）、端末装置へその決定した１つ以上の設定の情報を通知する（Ｓ６０３）。端末装置は、通知された１つ以上の設定を保持する（Ｓ６０４）。ここで、端末装置は、複数の設定を保持するようにする。このため、端末装置は、例えばデフォルトで使用可能な設定や以前に通知された設定を保持しておき、基地局装置から通知された設定によって保持する複数の設定を更新しうる。また、基地局装置は、２つ以上の設定を決定して、その２つ以上の設定を端末装置に通知するようにしてもよい。
【００３２】
Ｓ６０１〜Ｓ６０４の設定は、例えば端末装置において上りリンクで送信すべきデータが発生したことを契機に実行されうる。例えば、Ｓ６０１で通知される情報は、端末装置が基地局装置へと送信するランダムアクセスプリアンブルに含められることによって、又は、ランダムアクセスプリアンブルと並行して送信される別の信号に含められることによって、送信されうる。例えば、端末装置は、利用可能な複数のプリアンブルの中から、要求遅延の大きさや伝送路損失情報に応じて１つのプリアンブルを選択して送信し、基地局装置は、どのプリアンブルが送信されたかに応じて、要求遅延の大きさや伝送路損失情報を特定しうる。その後、基地局装置はランダムアクセス応答を送信し、端末装置は、その応答を受信したことに応じて接続を確立することを要求するＲＲＣメッセージを送信する。そして、基地局装置は、例えば、端末装置からのＲＲＣメッセージに応答して、接続を確立するためのＲＲＣメッセージを送信するが、その際に、Ｓ６０３の情報を通知しうる。なお、これらは一例であり、ランダムアクセス手順以外の手順によって、また、別の信号を用いて、Ｓ６０１〜Ｓ６０４の処理が行われてもよい。
【００３３】
端末装置は、送信対象のデータが発生すると（Ｓ６０５）、そのデータの送信のためのスケジューリング要求を送信するのに利用可能な無線リソースの設定を、予め保持しておいた複数の設定の中から選択する（Ｓ６０６）。そして、端末装置は、その選択した設定に対応する無線リソースを用いて、スケジューリング要求を基地局装置へと送信する（Ｓ６０７）。端末装置は、このスケジューリング要求に対して、基地局装置から上りリンクグラントを受信すると、その上りリンクグラントで指定された無線リソースを用いてデータ信号を送信する。
【００３４】
図６では、基地局装置は、Ｓ６０７で端末装置から送信されたスケジューリング要求の受信に失敗しており、上りリンクグラントを発行しなかったものとする。この場合、端末装置は、上りリンクグラントを受信しなかったため、使用する設定を再選択し（Ｓ６０８）、その再選択した設定に対応する無線リソースを用いて、スケジューリング要求を基地局装置へと送信する（Ｓ６０９）。その後、基地局装置は、このスケジューリング要求の受信に成功すると、端末装置がデータ信号を送信可能な無線リソースが存在する場合に、データ信号を送信すべき無線リソースを指定した上りリンクグラントを送信する（Ｓ６１０）。そして、端末装置は、この上りリンクグラントに指定された無線リソースで、データ信号を送信する（Ｓ６１１）。
【００３５】
本処理では、端末装置は、例えば、Ｓ６０７で時間幅が短くかつ周期が短い無線リソースを用いてスケジューリング要求を送信し、その後、Ｓ６０９で時間幅が相対的長く又は周期が長い無線リソースを用いてスケジューリング要求を送信する。これによれば、例えばＳ６０７のスケジューリング要求に対して上りリンクグラントが発行された場合には、端末装置は、低遅延で上りリンクのデータ信号を送信することができる。一方、例えばＳ６０７のスケジューリング要求に対して上りリンクグラントが発行されない場合であっても、端末装置は、時間幅の長い無線リソースに対応する設定を用いることにより、上りリンクグラントを受け取ることができる確率を高めることができる。なお、端末装置は、設定の選択の時点で最も早くスケジューリング要求を送信完了する設定を、使用する設定として選択するようにしてもよい。
【００３６】
なお、端末装置は、図６の説明のように、送信対象のデータが発生する前に、利用可能な複数の設定を保持するようにしてもよいし、そうでなくてもよい。例えば、送信対象のデータは複数の設定の保持の前に発生してもよく、そのデータの発生に応じて、端末装置がスケジューリング要求の送信に利用可能な無線リソースの設定に関するＳ６０１〜Ｓ６０４の処理が実行されてもよい。
【００３７】
以上のようにして、端末装置は、状況に応じて、複数の設定の中から１つの設定を選択してスケジューリング要求を送信することで、通信環境が良好な場合は低遅延の要求を満たしながら、通信環境が良好でない場合にも通信可能性の要求を満たすことができる。
【符号の説明】
【００３８】
３０１：ＣＰＵ、３０２：ＲＯＭ、３０３：ＲＡＭ、３０４：外部記憶装置、３０５：通信装置、４０１：通信部、４０２：設定保持部、４０３：設定選択部、４０４：伝送路推定部、５０１：通信部、５０２：設定決定部、５０３：損失情報取得部
【図１】
2018182361.tif 000003
【図２】
2018182361.tif 000004
【図３】
2018182361.tif 000005
【図４】
2018182361.tif 000006
【図５】
2018182361.tif 000007
【図６】
2018182361.tif 000008